(57)【特許請求の範囲】
【請求項１】
投入金額が販売価格以上となると、販売可能ランプを点灯する商品選択ボタンと、該商品選択ボタン毎に設けられ、少なくとも販売価格を表示するデジタル式の表示器と、通常の販売価格に対し、割引金額と割引対象コラムを設定するとともに、割引時間帯あるいは割引期間を設定する設定手段と、を備え、当該割引対象の場合には、前記表示器の表示を通常の販売価格から割引価格に切り替えて表示する自動販売機において、前記割引時間帯あるいは割引期間に、釣銭切れの場合には、投入金額と割引対象コラムの割引価格との差額を演算し、割引価格で販売可能な割引対象コラムがあれば、販売可能ランプを点灯するとともに、前記表示器は割引価格で表示し、割引価格ではなく、通常の販売価格で販売可能な割引対象コラムがあれば、販売可能ランプを点灯するとともに、前記表示器は通常の販売価格で表示することを特徴とする自動販売機。
【請求項２】
投入金額が販売価格以上となると、販売可能ランプを点灯する商品選択ボタンと、該商品選択ボタン毎に設けられ、少なくとも販売価格を表示するデジタル式の表示器と、通常の販売価格に対し、割引金額と割引対象コラムを設定するとともに、まとめ買い割引をする際の割引対象個数を設定する設定手段とを備え、まとめ買い割引の割引対象個数になると、前記表示器の表示を通常の販売価格から割引価格に切り替えて表示する自動販売機において、前記まとめ買い割引中に、釣銭切れの場合には、割引対象個数となると、投入残額と割引対象コラムの割引価格との差額を演算し、割引価格で販売可能な割引対象コラムがあれば、販売可能ランプを点灯するとともに、前記表示器は割引価格で表示し、割引価格ではなく、通常の販売価格で販売可能な割引対象コラムがあれば、販売可能ランプを点灯するとともに、前記表示器は通常の販売価格で表示することを特徴とする自動販売機。
【発明の詳細な説明】
【技術分野】
【０００１】
本発明は、特定の商品について一定の期間あるいはまとめ買いにより、所定額だけ通常価格より割引して商品を販売できるようにした自動販売機に関する。
【背景技術】
【０００２】
従来、自動販売機における販売商品を、通常の商品価格から通常の商品価格より安い商品価格に変更して割引販売を行う機能として以下の割引方式が知られている。
まず、第１の割引方式としては、商品の販売価格とまとめ買いする数を積算した総販売価格から所定の額だけ販売価格を割引いて販売する自動販売機が知られている（特許文献１）。
【０００３】
次に、第２の割引方式としては、割引期間と割引額をテンキーにより設定するようにして、設定された期間に販売される商品は表示額よりも割引額分を安くして販売する自動販売機が知られている（特許文献２）。
【先行技術文献】
【特許文献】
【０００４】
【特許文献１】特開平６−１２５５２号公報
【特許文献２】特開平５−２０５３１号公報
【発明の概要】
【発明が解決しようとする課題】
【０００５】
ところで、前記割引機能では、まとめ買い数による割引、期間による割引との単独の割引機能であり、割引販売時の釣銭切れに対する対応ができていないのが現状であった。
そこで、本発明は、釣銭切れ時においても、割引機能を最大限有効に行える自動販売機を提供することを目的とする。
【課題を解決するための手段】
【０００６】
前述の課題を解決するために、本発明の自動販売機によれば、以下の手段により達成されるものである。
本発明は、投入金額が販売価格以上となると、販売可能ランプを点灯する商品選択ボタンと、該商品選択ボタン毎に設けられ、少なくとも販売価格を表示するデジタル式の表示器と、通常の販売価格に対し、割引金額と割引対象コラムを設定するとともに、割引時間帯あるいは割引期間を設定する設定手段と、を備え、当該割引対象の場合には、前記表示器の表示を通常の販売価格から割引価格に切り替えて表示する自動販売機において、前記割引時間帯あるいは割引期間に、釣銭切れの場合には、投入金額と割引対象コラムの割引価格との差額を演算し、割引価格で販売可能な割引対象コラムがあれば、販売可能ランプを点灯するとともに、前記表示器は割引価格で表示し、割引価格ではなく、通常の販売価格で販売可能な割引対象コラムがあれば、販売可能ランプを点灯するとともに、前記表示器は通常の販売価格で表示することを特徴とする。
【０００７】
また、本発明は、投入金額が販売価格以上となると、販売可能ランプを点灯する商品選択ボタンと、該商品選択ボタン毎に設けられ、少なくとも販売価格を表示するデジタル式の表示器と、通常の販売価格に対し、割引金額と割引対象コラムを設定するとともに、まとめ買い割引をする際の割引対象個数を設定する設定手段とを備え、まとめ買い割引の割引対象個数になると、前記表示器の表示を通常の販売価格から割引価格に切り替えて表示する自動販売機において、前記まとめ買い割引中に、釣銭切れの場合には、割引対象個数となると、投入残額と割引対象コラムの割引価格との差額を演算し、割引価格で販売可能な割引対象コラムがあれば、販売可能ランプを点灯するとともに、前記表示器は割引価格で表示し、割引価格ではなく、通常の販売価格で販売可能な割引対象コラムがあれば、販売可能ランプを点灯するとともに、前記表示器は通常の販売価格で表示することを特徴とする。
【発明の効果】
【０００８】
本発明は、商品選択ボタン毎に商品の販売価格を表示するデジタル式の表示器を備えた自動販売機であって、タイムサービスあるいはまとめ買いによる割引機能を備え、釣銭切れ時であっても、割引価格で販売可能な割引対象コラムがあれば、販売可能ランプを点灯するとともに、前記表示器は割引価格で表示し、割引価格ではなく、通常価格で販売可能な割引対象コラムがあれば、販売可能ランプを点灯するとともに、前記表示器は通常価格で表示して、販売可能とすることにより、釣銭切時であっても、割引機能を活かしつつ、かつ、自動販売機の売上向上に繋がるという効果が得られる。
【図面の簡単な説明】
【０００９】
【図１】本発明の一実施の形態である自動販売機の制御装置を示す構成ブロック図である。
【図２】本発明の一実施の形態であるタイムサービス割引処理を示すフローチャートである。
【図３】本発明の一実施の形態であるまとめ買い割引処理を示すフローチャートである。
【図４】本発明の一実施の形態であるまとめ買い割引処理を示すフローチャートである。
【図５】本発明の対象となる自動販売機の概略正面図である。
【図６】本発明の商品見本展示室の要部正面図である。
【図７】本発明の価格表示形態を示す価格表示器の構成図である。
【発明を実施するための形態】
【００１０】
以下に、本発明の実施の形態を図面に基づいて説明する。
図５は、本発明の実施の対象となる自動販売機の概略正面図の一例を示すものであり、自動販売機５０は、その本体キャビネット前面に外扉５１を備えており、本体キャビネット内には複数（ｎ個）のコラムを備えている。このコラムは、複数種類の商品を個別に収納する一方、コラムと商品選択ボタン５８との対応関係を予め設定しておくことで、商品選択ボタン５８が押され、販売指令が与えられた場合に押された商品選択ボタン５８に対応する商品の搬出を行うものである。
【００１１】
その外扉５１の前面側に外部から視認可能な商品見本５２ａを内部に配列した商品見本展示室５２、硬貨投入口５３、硬貨返却口５３ａ、紙幣挿入口５４、返却レバー５５、商品取出口５６、販売中表示、紙幣受入中止表示、釣銭切表示、入金額などを表示するデジタル表示器５７、販売可能ランプ，売切ランプを内蔵する商品選択ボタン５８、販売価格などの商品に関する情報を表示するＬＥＤあるいは液晶表示などからなるデジタル式の価格表示器５８ａ、シリンダー錠付きの外扉５１開放用のハンドル５１ａが設けられている。
【００１２】
前記商品見本５２ａは、それぞれコラムに収納した商品を現し、商品選択ボタン５８に対応して設けられ、販売価格などの商品に関する情報を表示する価格表示器５８ａは、商品選択ボタン５８の上方で商品見本５２ａの下方に位置するように設けられており、さらに図６の商品見本展示室５２の要部正面図に示すように、その上方に商品見本５２ａの冷蔵・温蔵状態を表示する冷温表示板５２ｂが設けられている。
【００１３】
次に、図１は、本発明の一実施の形態を示す構成ブロック図である。
１は自動販売機全体を制御する主制御部であり、主制御部１には、制御プログラムを格納するメモリ１ａ、商品の販売価格、コラムと商品選択ボタンとの対応関係、その他、設定データ、売上データなど種々のデータを記憶するメモリ１ｂ、時計１ｃを備えている。
【００１４】
この主制御部１には、各種設定・確認を行うためのリモコン１１、商品搬出を行う商品搬出装置１２、庫内の商品を冷却あるいは加熱する冷熱装置１３の制御を行う本体制御部１４、硬貨投入口５３から投入された硬貨の真偽、種類などを選別し、計数および釣銭を払い出す硬貨処理装置１５、紙幣挿入口５４から挿入された紙幣の真偽、種類などを識別する紙幣識別装置１６、投入金額、釣銭切れ表示などの各種表示を行うデジタル表示器５７、商品選択ボタン５８、該商品選択ボタン５８毎に設けられ、販売価格などの商品に関する情報を表示する価格表示器５８ａが接続されている。
【００１５】
リモコン１１は、モードキー、アップダウンキー、書込キー、クリアキー、終了キーなどを備え、このキー操作と商品選択ボタン５８の操作にて、割引期間（時間）、割引対象個数、割引コラムなど、割引販売に関する設定を行い、メモリ１ｂに記憶させるものである。
【００１６】
このメモリ１ｂには、予め割引金額パターンとして、「パターン１：１０円、パターン２：２０円、パターン３：３０円」と記憶させ、割引金額設定時には、このパターンから選択して設定する。
【００１７】
この構成において、商品の販売価格設定について説明すると、リモコン１１のモードキーにより現金による商品販売価格設定モードとし、アップダウンキーを操作して商品販売価格を入力すると、デジタル表示器５７に入力した販売価格が表示され、商品選択ボタン５８を押すことで、対応コラムに収納する商品の現金による販売価格がメモリ１ｂに記憶され、全ての商品に対して同様の操作を繰り返し行い、全ての現金による商品販売価格設定を終わると、最後に終了キーを押してモードを終了する。
【００１８】
なお、リモコン１１に液晶表示器を備えている場合には、リモコン１１の表示器にも同様の表示を行い、今回の自動販売機のように、商品選択ボタン５８毎に価格表示器５８ａを備えている場合には、この表示器に価格設定時の価格を表示させるようにしてもよい。
【００１９】
次に、割引設定をする場合について説明する。
まず、割引対象個数の設定については、リモコン１１のモードキーを操作して割引対象個数設定モードとし、次にリモコン１１のアップダウンキーを操作して割引対象個数を入力すると、この入力が例えば３個の場合、デジタル表示器５７に「３」と表示させ、リモコン１１の書込キー操作にて入力したデータを確定して、メモリ１ｂに記憶させ、最後に終了キーを押してモードを終了する。
【００２０】
次に、割引金額およびその対象コラムの設定については、リモコン１１のモードキーを操作して割引金額およびその対象コラム設定モードとし、次にアップダウンキーを操作して割引金額パターン１〜３から割引金額を選択し、例えば、割引パターン３を選択すると、デジタル表示器５７に「３０円」と表示され、この割引金額で良ければ、書込キーを押して割引金額データを設定し、次に、この割引金額をどのコラムに設定するかを、商品選択ボタン５８を押すことで、割引金額と対象コラムとの設定が完了し、最後に終了キーを押してモードを終了する。
【００２１】
次に、つづけ買い個数の設定については、リモコン１１のモードキーを操作してつづけ買い個数設定モードとし、次にリモコン１１のアップダウンキーを操作してつづけ買い個数を入力すると、この入力が例えば３個の場合、デジタル表示器５７に「３」と表示させ、リモコン１１の書込キー操作にて入力したデータを確定して、メモリ１ｂに記憶させ、最後に終了キーを押してモードを終了する。
【００２２】
このつづけ買い個数設定は、割引対象個数を有効とするために、自動販売機で１回の投入金に対して連続して購入できる個数を設定するためであり、割引対象個数以上の値であればよい。
【００２３】
以上のように、設定することで、上記で設定した割引対象コラムに対してまとめ買い時における割引設定が完了する。
このまとめ買い割引は、割引金額設定、割引対象コラム、割引対象個数設定有りにて有効となるものである。
【００２４】
次に、タイムサービス割引による割引期間ならびに割引時間帯設定について説明する。なお、割引金額および割引対象コラム設定について、上記設定と同じであり、説明は省略する。
【００２５】
割引期間の設定については、リモコン１１のモードキーを操作して割引期間設定モードとし、まず、アップダウンキーを操作して割引開始年月日を入力すると、デジタル表示器５７に年月日を表示させ、書込キーを押して、割引開始年月日を確定し、引き続いて、アップダウンキーを操作して割引終了年月日を入力すると、デジタル表示器５７に年月日を表示させ、書込キーを押して、割引終了年月日を確定し、最後に終了キーを押してモードを終了する。
【００２６】
次に、割引時間帯の設定については、リモコン１１のモードキーを操作して割引時間帯設定モードとし、まず、アップダウンキーを操作して割引開始時刻を入力すると、デジタル表示器５７に開始時刻を表示させ、書込キーを押して、割引開始時刻を確定し、引き続いて、アップダウンキーを操作して割引終了時刻を入力すると、デジタル表示器５７に終了時刻を表示させ、書込キーを押して、割引終了時刻を確定し、最後に終了キーを押してモードを終了する。
【００２７】
以上のように、タイムサービス割引を設定することで、上記で設定した割引対象コラムに対して割引期間ならびに割引時間帯の設定が可能となり、この割引期間と割引時間帯とは、両方あるいはいずれか一方にて運用してもよい。
【００２８】
このタイムサービス割引は、割引金額設定、割引対象コラム有りにて有効となるものである。
次に、上記割引運用方式における自動販売機の利用方法について説明する。なお、以下の実施例においては、タイムサービス割引とまとめ買い割引をそれぞれ単独で使用した例について説明するが、タイムサービス割引時間帯以外には、まとめ買い割引を行うというように両割引機能を併用してもよい。
１）タイムサービス割引を利用した自動販売機の処理について
図２のフローチャートに示すように、現在時刻と比較して、割引開始時刻かを判断し（ステップＳ２０１）、割引開始時刻となれば（ステップＳ２０１，Ｙｅｓ）、図７の価格表示器５８ａの構成図に示すように、例えば、割引パターン「３」が設定されている場合には割引金額は「３０円」となるため、「１５０円」の商品の場合、価格表示器５８ａの表示を「１２０円」に変更して（ステップＳ２０２）、販売待機状態となる。
【００２９】
ここで、釣銭切れかを判断し（ステップＳ２０３）、釣銭切れでなければ（ステップＳ２０３，Ｎｏ）、硬貨投入口５３に「１５０円」の硬貨が投入されると（ステップＳ２０４，Ｙｅｓ）、上記価格変更された商品を含め、「１５０円」にて販売可能な商品並びにこの投入金額にて釣銭払い出し可能かを演算して（ステップＳ２０５）、演算結果に基づき、販売可能な商品選択ボタン５８の販売可能ランプを点灯させる（ステップＳ２０６）。
【００３０】
次に、「１２０円」に価格変更された商品に対応する商品選択ボタン５８が押されると（ステップＳ２０７，Ｙｅｓ）、本体制御部１４を介して、商品搬出装置１２を駆動し、所望の商品が商品取出口５６に搬出され（ステップＳ２０８）、投入金額とこの割引価格との差額を演算して釣銭の有無を判断し（ステップＳ２０９）、この場合、釣銭があるので（ステップＳ２０９，Ｙｅｓ）、硬貨返却口５３ａに釣銭「３０円」が返却され（ステップＳ２１０）、次に、割引終了時刻を判断して（ステップＳＳ２１１）、割引終了時刻になっていなければ（ステップＳ２１１，Ｎｏ）、タイムサービス割引中のまま販売待機状態となる。
【００３１】
一方、ステップＳ２０３の釣銭切れの判断において、例えば、「１０円」硬貨が釣銭切れ、「１００円」硬貨は釣銭有りの場合（ステップＳ２０３，Ｙｅｓ）、硬貨投入口５３に「１５０円」投入されると（ステップＳ２１２，Ｙｅｓ）、割引価格「１２０円」では販売不可であり（ステップＳ２１３，Ｎｏ）、通常の販売価格「１５０円」では販売可能であるため（ステップＳ２１４，Ｙｅｓ）、価格表示器５８ａの表示を割引価格「１２０円」から通常の販売価格「１５０円」に戻し（ステップＳ２１５）、販売可能ランプを点灯させ（ステップＳ２１６）、商品選択ボタン５８が押されると（ステップＳ２１７，Ｙｅｓ）、本体制御部１４を介して、商品搬出装置１２を駆動し、所望の商品が商品取出口５６に搬出され（ステップＳ２１８）、搬出後、価格表示器５８ａの価格表示を割引価格である「１２０円」に戻し（ステップＳ２１９）、次に、割引終了時刻を判断し（ステップＳ２１１）、割引終了時刻になっていなければ（ステップＳ２１１，Ｎｏ）、タイムサービス割引中のまま販売待機状態となる。
【００３２】
このように、タイムサービス割引中であっても、釣銭切れの場合、通常の販売価格に戻すことで、釣銭無しの販売を可能とし、かつ、価格表示器５８ａの表示も通常の販売価格に戻すため、利用者に誤解を与えることはない。
【００３３】
また、「１０円」硬貨が釣銭切れ状態で、硬貨投入口５３に「１２０円」の硬貨が投入されると（ステップＳＳ２１２１，Ｙｅｓ）、上記割引価格「１２０円」にて販売可能か判断し（ステップＳ２１３）、釣銭の必要が無いため、割引価格にて販売可となり(ステップＳ２１３，Ｙｅｓ）、ステップＳ２０６に戻り、販売可能ランプを点灯させる。
【００３４】
次に、「１２０円」に価格変更された商品に対応する商品選択ボタン５８が押されると（ステップＳ２０７）、本体制御部１４を介して、商品搬出装置１２を駆動し、所望の商品が商品取出口５６に搬出され（ステップＳ２０８）、この場合、釣銭は不要であるため（ステップＳ２０９，Ｎｏ）、次に、割引終了時刻を判断し（ステップＳＳ２１１）、割引終了時刻になっていなければ（ステップＳ２１１，Ｎｏ）、タイムサービス割引中のまま販売待機状態となる。
【００３５】
なお、「１０円」硬貨が釣銭切れ状態で（ステップＳ２０３，Ｙｅｓ）、硬貨投入口５３に「２００円」が投入されると（ステップＳ２１２，Ｙｅｓ）、割引価格にて販売不可（ステップＳ２１３，Ｎｏ）、続いて、通常の販売価格も販売不可のため（ステップＳ２１４，Ｎｏ）、投入された硬貨を硬貨返却口５３ａから返却し（ステップＳ２２０）、次に、割引終了時刻を判断して（ステップＳＳ２１１）、割引終了時刻でなければ（ステップＳ２１１，Ｎｏ）、タイムサービス割引中のまま販売待機状態となる。
【００３６】
一方、ステップＳ２１０で割引終了時刻となれば（ステップＳ２１１，Ｙｅｓ）、価格表示器５８ａの表示を割引価格「１２０円」から通常の販売価格「１５０円」に戻し（ステップＳ２２１）、通常の販売価格での商品販売となる。
【００３７】
また、硬貨投入口５３に「５００円」が投入され、割引価格に「１００円」の商品がある場合に、「１００円」硬貨にて釣銭が払い出せるため、割引価格にてそのまま販売可能となる。
【００３８】
なお、タイムサービス割引について割引時刻にて説明したが、割引期間であってもよい。
また、ステップＳ２０１で割引開始時刻になっていなければ（ステップＳ２０１，Ｎｏ）、別フローの通常価格販売となる。
２）まとめ買い割引を利用した自動販売機の処理について
図３のフローチャートに示すように、まとめ買い割引が有効で（ステップＳ３０１，Ｙｅｓ）、かつ、釣銭有りの状態で（ステップＳ３０２）、前記設定にて割引対象個数が「３」本であり、３本以上の商品を購入可能な金額が硬貨投入口５３から投入され（ステップＳ３０３，Ｙｅｓ）、商品選択ボタン５８が押されると（ステップＳ３０４，Ｙｅｓ）、本体制御部１４を介して、商品搬出装置１２を駆動し、所望の商品が商品取出口５６に搬出され（ステップＳ３０５）、次に、割引対象コラムの商品が「２本」販売されたかを判断する（ステップＳ３０６）。
【００３９】
割引対象コラムの販売数のカウントが行われ、販売数のカウントが「２本」となると（ステップＳ３０６，Ｙｅｓ）、あと「１本」、割引対象コラムの商品を購入すると割引販売となるが、現在の投入残額と割引対象コラムの割引金額との差額を演算し、割引販売にて釣銭が払い出せるかを判定し、この場合、釣銭有り状態であるため（ステップＳ３０７）、割引対象コラムの価格表示器５８ａの価格表示を割引価格に切り替える（ステップＳ３０８）。
【００４０】
ここで、割引対象コラムの商品選択ボタン５８が押されると（ステップＳ３０９，Ｙｅｓ）、本体制御部１４を介して、商品搬出装置１２を駆動し、所望の商品が商品取出口５６に搬出されるとともに（ステップＳ３１０）、３本目の商品は、投入残額と割引金額との差額を演算し、釣銭が無ければ（ステップＳ３１１，Ｎｏ）、そのまま販売待機状態となる（ステップＳ３１３）。釣銭があれば（ステップＳ３１１，Ｙｅｓ）、硬貨返却口５３ａに釣銭が返却されてから（ステップＳ３１２）、販売待機状態となる（ステップＳ３１３）。
【００４１】
なお、ステップＳ３０１でまとめ買い割引が有効で無ければ（ステップＳ３０１，Ｎｏ）、別フローの通常価格販売となる。
次に、まとめ買い割引有効時の釣銭切れ状態について、図４のフローチャートを用いて説明する。
【００４２】
まず、前提条件として、割引対象コラムの通常の販売価格を「１００円」と「１２０円」の商品、その割引金額を割引パターン１の「１０円」とし、「１００円」釣銭有り、「１０円」釣銭切れとして以下に説明する。
【００４３】
図４のフローチャートに示すように、まとめ買い割引を有効とし（ステップＳ４０１，Ｙｅｓ）、「１０円」のみが釣銭切れ状態で（ステップＳ４０２）、前記設定にて割引対象個数が「３本」であり、３本以上の商品を購入可能な金額「４００円」が硬貨投入口５３から投入されると（ステップＳ４０３，Ｙｅｓ）、「１００円」商品の商品選択ボタン５８が押されると（ステップＳ４０４，Ｙｅｓ）、本体制御部１４を介して、商品搬出装置１２を駆動し、所望の商品が商品取出口５６に搬出され（ステップＳ４０５）、次に、割引対象コラムの商品が「２本」販売されたかを判断する（ステップＳ４０６）。
【００４４】
割引対象コラムの販売数のカウントが行われ、割引対象コラムの販売数のカウントが「２本」となると（ステップＳ４０６，Ｙｅｓ）、あと「１本」、割引対象コラムの商品を購入すると割引販売となるが、現在の投入残額と割引対象コラムの割引金額との差額を演算して、割引販売にて釣銭が払い出せるかを判定する（ステップＳ４０７）。
【００４５】
この例によると、「２００円」の残金と割引価格「９０円」，「１１０円」となるため、「１０円」釣銭切れの場合、釣銭払い出し不可となるため（ステップＳ４０７，Ｎｏ）、通常の販売価格のまま価格表示器５８ａの販売価格を表示させ（ステップＳ４０８）、ここで、「１００円」商品の商品選択ボタン５８が押されると（ステップＳ４１０，Ｙｅｓ）、本体制御部１４を介して、商品搬出装置１２を駆動し、所望の商品が商品取出口５６に搬出されるとともに（ステップＳ４１１）、硬貨返却口５３ａに釣銭「１００円」が返却され（ステップＳ４１２）、販売待機状態となる（ステップＳ４１３）。
【００４６】
仮に、上記商品の販売価格で割引パターン２の「２０円」の場合には、割引対象コラムの「１２０円」商品が「１００円」となるため、「１０円」釣銭切れの場合でも、釣銭払い出し可となるため（ステップＳ４０７，Ｙｅｓ）、「１２０円」商品の価格表示器５８ａの表示を割引価格「１００円」と表示し（ステップＳ４０９）、この割引対象コラムの商品選択ボタン５８が押されると（ステップＳ４１０）、本体制御部１４を介して、商品搬出装置１２を駆動し、所望の商品が商品取出口５６に搬出されるとともに（ステップＳ４１１）、硬貨返却口５３ａに釣銭「１００円」が返却され（ステップＳ４１２）、販売待機状態となる（ステップＳ４１３）。
【００４７】
なお、ステップＳ４０１でまとめ買い割引が有効で無ければ（ステップＳ４０１，Ｎｏ）、別フローの通常価格販売となる。
また、投入金額にて、通常販売価格および割引販売価格の双方共、販売不可の場合には、投入金額をそのまま硬貨返却口５３ａに返金し、その他の場合には、割引対象個数に基づき、１回の商品販売毎に、釣銭が払い出せるかを演算して、割引対象個数に達した時点で、通常販売価格あるいは割引販売価格にするかを決定し、この決定に基づき、価格表示器５８ａに販売価格を表示させるため、利用者にとっては、表示通りの販売価格で販売されるため、不信感が無くなる。
【００４８】
さらに、割引による販売を期待している利用者のため、別の表示器を用い、釣銭切れのため、通常の販売価格にて販売などのメッセージを流してもよい。
まとめ買い割引については、途中に割引対象コラム以外の商品を購入した場合には販売数のカウントがされず、割引対象コラムの商品が所定本数販売された時点で割引販売に切り替わるが、この場合には、つづけ買い設定を割引対象個数より大きい数とする必要がある。
【００４９】
このまとめ買い割引、タイムサービス割引、割引対象コラムのアピールは、種々考えられるが、単純には、ステッカー、シールなどでの表示、あるいは既存の表示器を利用して、通常とは異なる表示をさせることでアピールが可能となり、新たな表示器を別途設けてもよい。
【００５０】
また、タイムサービス割引、まとめ買い割引とそれぞれ独立した処理にて説明したが、併用してもよく、
さらに、割引金額は、予め設定されている３パターンとしたが、リモコン１１の操作にて変更可能であり、仮に、割引金額を通常の販売価格より大きい金額として誤設定した場合には、異常と判断して割引設定を無視し、通常の販売価格にて商品を販売する。
【００５１】
なお、現金による割引販売について説明したが、カード使用可能な自動販売機において、カード販売時にも割引販売可能となる。また、この場合、現金と異なった割引金額設定も可能である。
【符号の説明】
【００５２】
１          主制御部
１ａ        メモリ
１ｂ        メモリ
１１        リモコン
５０        自動販売機
５７        デジタル表示器
５８        商品選択ボタン
５８ａ      価格表示器
【図１】
0005516098.tif 000002
【図２】
0005516098.tif 000003
【図３】
0005516098.tif 000004
【図４】
0005516098.tif 000005
【図５】
0005516098.tif 000006
【図６】
0005516098.tif 000007
【図７】
0005516098.tif 000008